(57)【要約】【課題】簡易な構成で、鈴棒の紛失を確実に防止することができ、しかも、鈴棒で鈴を打ち鳴らす際に鈴が傷ついてしまうのを防止することができる印金を提供する。【解決手段】棒状の柄２と、柄２の一端に鈴布団３を介して固定された鈴４と、鈴４を打ち鳴らす鈴棒５とを備えた印金１であって、鈴棒５は、把持部５ａと、把持部５ａの一端から延出した非磁性体からなる打撃部５ｂとを有し、柄２は、他端から鈴棒５の打撃部５ｂを差し込むための差込穴６を有しており、打撃部５ｂが差込穴６に差し込まれた状態において互いに接触する把持部５ａの一端および柄２の他端には、一方に第１磁石７が設けられ、他方に第１磁石７と引き合う第２磁石８または磁性体が設けられていることを特徴とする。【選択図】図１
0003167235.tif 000002
【実用新案登録請求の範囲】
【請求項１】
棒状の柄と、前記柄の一端に鈴布団を介して固定された鈴と、前記鈴を打ち鳴らす鈴棒とを備えた印金であって、
前記鈴棒は、把持部と、前記把持部の一端から延出した非磁性体からなる打撃部とを有し、
前記柄は、他端から前記鈴棒の前記打撃部を差し込むための差込穴を有しており、
前記打撃部が前記差込穴に差し込まれた状態において互いに接触する前記把持部の一端および前記柄の他端には、一方に第１磁石が設けられ、他方に前記第１磁石と引き合う第２磁石または磁性体が設けられていることを特徴とする印金。
【請求項２】
前記非磁性体は真鍮であることを特徴とする請求項１に記載の印金。
【考案の詳細な説明】
【技術分野】
【０００１】
本考案は、印金に関する。
【背景技術】
【０００２】
従来から、葬儀や墓参等の際に使用される仏具の一つとして印金が知られている。
【０００３】
図３は、従来の印金の一例を示す断面図である（例えば、特許文献１参照）。同図に示す印金１１は、握り部１２ａおよび上座部１２ｂからなる柄１２と、柄１２の一端に鈴布団１３を介して固定された鈴１４と、把持部１５ａおよび打撃部１５ｂからなる鈴棒１５とを備えている。
【０００４】
また、この印金１１には、柄１２（握り部１２ａ）の他端を開口して形成された、鈴棒１５を差し込んで収納するための差込穴１６と、差込穴１６の最深部において鈴棒１５の先端面１５ｃを吸着する磁石１７とが設けられている。このため、この印金１１によれば、差込穴１６に鈴棒１５が差し込まれた状態、すなわち、鈴棒１５を柄１２の中に収納した状態を維持することができるので、鈴棒１５の紛失を防止することができる。
【先行技術文献】
【特許文献】
【０００５】
【特許文献１】特開２００４−２２９７７１号公報
【考案の概要】
【考案が解決しようとする課題】
【０００６】
ところで、上記従来の印金１１では、鈴棒１５の先端面１５ｃを磁石１７に吸着させるために、鈴棒１５の打撃部１５ｂを鉄等の磁性体で形成する必要がある。
【０００７】
しかしながら、単に鈴棒１５の打撃部１５ｂを鉄で形成しただけでは、鈴棒１５で鈴１４を打ち鳴らす際に鈴１４を傷つけてしまうおそれがあるので、従来の印金１１では、鈴棒１５の打撃部１５ｂを、その先端面１５ｃを除いてゴム管からなる緩衝材１５ｄで覆っている。このため、従来の印金１１は、鈴棒１５の製造工程が複雑になっていた。
【０００８】
また、この従来の印金１１では、先端面１５ｃのみにおいて磁石１７と鈴棒１５とが接触しているため、先端面１５ｃにおける打撃部１５ｂの面積によっては、磁石１７の吸着力が不足してしまい、差込穴１６に差し込まれた鈴棒１５が抜け落ちてしまうおそれがあった。
【０００９】
本考案は上記事情に鑑みてなされたものであって、その課題とするところは、簡易な構成で、鈴棒の紛失を確実に防止することができ、しかも、鈴棒で鈴を打ち鳴らす際に鈴が傷ついてしまうのを防止することができる印金を提供することにある。
【課題を解決するための手段】
【００１０】
上記の課題を解決するために、本考案は、棒状の柄と、柄の一端に鈴布団を介して固定された鈴と、鈴を打ち鳴らす鈴棒とを備えた印金であって、鈴棒は、把持部と、把持部の一端から延出した非磁性体からなる打撃部とを有し、柄は、他端から鈴棒の打撃部を差し込むための差込穴を有しており、打撃部が差込穴に差し込まれた状態において互いに接触する把持部の一端および柄の他端には、一方に第１磁石が設けられ、他方に第１磁石と引き合う第２磁石または磁性体が設けられていることを特徴とする。
【００１１】
また、本発明に係る印金において、上記非磁性体は、例えば真鍮とすることができる。
【考案の効果】
【００１２】
本考案によれば、簡易な構成で、鈴棒の紛失を確実に防止することができ、しかも、鈴棒で鈴を打ち鳴らす際に鈴が傷ついてしまうのを防止することができる印金を提供することができる。
【図面の簡単な説明】
【００１３】
【図１】本考案に係る印金を示す斜視図である。
【図２】本考案に係る印金を示す断面図である。
【図３】従来の印金を示す断面図である。
【考案を実施するための形態】
【００１４】
以下、本考案の好ましい実施形態について図面を参照して説明する。
【００１５】
図１に、本実施形態に係る印金の斜視図を示す。同図に示すように、本実施形態に係る印金１は、棒状の柄２と、柄２の一端に鈴布団３を介して固定された鈴４と、把持部５ａおよび打撃部５ｂからなる鈴棒５とを備えている。
【００１６】
柄２は、黒檀等の木材で形成されたものであり、使用者が握りやすいように曲面形状を有している。柄２の一端側には、鈴布団３および鈴４を固定するための連結軸９が設けられており、柄２の他端側には、鈴棒５の打撃部５ｂを差し込むための差込穴６が設けられている。また、柄２の他端側には、差込穴６と同軸状に開口を有する円形磁石（第１磁石）７が設けられている。
【００１７】
鈴布団３は、装飾が施された布により綿等を包んだものであり、平面視円形状に形成されている。鈴布団３の中心には、連結軸９を挿通させる挿通孔が設けられている。
【００１８】
鈴４は、真鍮により椀状に形成されたものである。鈴４の底部中心には、鈴布団３と同様に、連結軸９を挿通させる挿通孔が設けられている。鈴４および鈴布団３は、それぞれの挿通孔に連結軸９が挿通した状態で、連結軸９に形成されたネジ溝にナットを螺合させることにより固定されている。
【００１９】
鈴棒５は、黒檀等の木材で形成された把持部５ａと、真鍮等の非磁性体で形成された打撃部５ｂとを有している。把持部５ａは、柄２の他端側の外径寸法とほぼ同等の外形寸法を有している。また、把持部５ａの一端側（打撃部５ｂが延出している方の側）には、第１磁石７と引き合う第２磁石８が設けられている。この第２磁石８は、中心に開口を有し、第１磁石７とほぼ同等の形状および大きさに形成されている。
【００２０】
図２は、鈴棒５を柄２の中に収納した状態を示す断面図である。同図に示すように、本実施形態に係る印金１では、柄２の他端側および把持部５ａの一端側における端面のほぼ全面にそれぞれ第１磁石７および第２磁石８が設けられているので、第１磁石７と第２磁石８との接触面積を十分に確保することができる。このため、本実施形態に係る印金１によれば、鈴棒５を柄２の中に収納した状態を安定して維持することができ、鈴棒５の紛失を確実に防止することができる。
【００２１】
また、本実施形態に係る印金１では、第１磁石７および第２磁石８により鈴棒５が柄２の中に収納された状態を維持しているので、鈴棒５の打撃部５ｂを鉄等の磁性体で形成する必要がなく、打撃部５ｂを鉄よりも柔らかい真鍮等の非磁性体で形成することができる。したがって、本実施形態に係る印金１によれば、打撃部５ｂをゴム管等の緩衝材で覆わなくても、鈴棒５で鈴４を打ち鳴らす際に鈴４が傷ついてしまうのを防止することができ、しかも、鈴棒５の製造工程を簡略化することができる。
【００２２】
また、本実施形態に係る印金１では、第１磁石７および第２磁石８がテーパー形状に形成されており、第１磁石７と第２磁石８とが直接接触することにより外周面にくびれ部１０が形成されるので（図２参照）、鈴棒５を差込穴６から容易に抜き出すことができる。
【００２３】
以上、本考案の好ましい実施形態について説明してきたが、本考案は上記の構成に限定されるものではない。
【００２４】
例えば、上記実施形態では、柄２の他端側に第１磁石７を設けるとともに把持部５ａの一端側に第２磁石８を設けたが、第１磁石７および第２磁石８のどちらか一方を鉄等の磁性体に替えてもよい。
【００２５】
また、上記実施形態では、第１磁石７と第２磁石８とを直接接触させているが、第１磁石７を柄２の他端側に内蔵し、第２磁石８を把持部５ａの一端側に内蔵してもよい。すなわち、鈴棒５を柄２の中に収納した状態が安定して維持されるのであれば、第１磁石７と第２磁石８との間に別の部材が挟まれていてもよい。なお、この場合も、第１磁石７と第２磁石８とは実質的に接触しているといえる。
【００２６】
また、上記実施形態では、鈴棒５の打撃部５ｂを形成している非磁性体として、真鍮を例に挙げて説明したが、鈴４を打ち鳴らす際に鈴４を傷つけない程度に軟らかい材料であれば、任意の材料を使用することができる。
【００２７】
さらに、鈴布団３の形状や数、柄２や鈴棒５の把持部５ａの材料は好みに応じて任意に変更することができる。
【符号の説明】
【００２８】
１    印金
２    柄
３    鈴布団
４    鈴
５    鈴棒
５ａ    把持部
５ｂ    打撃部
６    差込穴
７    第１磁石
８    第２磁石
９    連結軸
１０    くびれ部
【図１】
0003167235.tif 000003
【図２】
0003167235.tif 000004
【図３】
0003167235.tif 000005